(57)【要約】【課題】  浴槽の底の排水口に配される網目栓と排水溝に通じる排水管の入り口を閉塞する排水栓とを同時に脱着可能にし、網目栓を通して常時風呂水が利用可能な浴槽栓及びその浴槽栓を用いた風呂水再使用システムの提供。【解決手段】  浴槽栓１０は排水口２に配される網目栓１１と、排水口に接続される分岐管３の排水管側分岐口３ａを閉塞する排水栓１０と、網目栓及び排水栓が所定間隔を設けて直線的に一体化させた連結金具１３と、を備えている。浴槽１の排水口２に浴槽栓１０を装着すると、排水管４は排水栓１２により閉塞されるため、風呂水は網目栓２で髪の毛その他のごみを濾して送水管５を通して洗濯機のポンプおよび／または水洗トイレのサブタンクのポンプに常時送水可能になる。風呂水を排水する場合は、浴槽栓１０を抜き排水管４を通し排水溝に流す。【選択図】  図２
2012041681.tif 000002
【特許請求の範囲】
【請求項１】
浴槽の底に形成された排水口に設置され、風呂水を洗濯機および／または水洗トイレに使用可能な浴槽栓であって、
前記排水口に配される網目栓と、前記排水口に接続される分岐管の排水管側分岐口を閉塞する排水栓と、前記網目栓及び排水栓が所定間隔を設けて直線的に一体化させた連結金具と、を備えていることを特徴とする浴槽栓。
【請求項２】
請求項１に記載の浴槽栓を浴槽の底の排水口に脱着可能に設けるとともに、前記浴槽下には前記排水口に通じる分岐管を取り付け、前記分岐管の風呂水再使用側分岐口に接続された送水管を洗濯機の設置される洗面所および／または水洗トイレが設備されたトイレルームにそれぞれ床下から立ち上げ、洗濯機に内蔵されているポンプおよび／または水洗トイレのサブタンクに汲み上げるポンプへ配管され、前記浴槽栓の排水栓が排水管側分岐口を閉塞しているとき前記浴槽栓の網目栓を通して、常時洗濯機および／または水洗トイレサブタンクへ送水可能に構成されていることを特徴とする風呂水再使用システム。
【発明の詳細な説明】
【技術分野】
【０００１】
本発明は、浴槽に貯えられた水（以下風呂水という）を洗濯機や水洗トイレ等の水に使用する為の浴槽栓及びその浴槽栓を用いた風呂水再使用システムに関するものである。
【背景技術】
【０００２】
近年、環境問題は、各家庭において、解決しなければならないことが多くなってきている。その一つとして、風呂の残り湯が挙げられる。風呂水は、一般的に使用後に下水として、廃棄されており、洗濯水、水洗トイレ用洗浄水には貴重な水道水が使用されている。従来、風呂水の再使用は、大掛かりにタンクを別設置するもの（特許文献１参照）、また、排水口に分岐管を接続し、洗濯機や水洗トイレに送水するシステムが提案されている（特許文献２参照）。
【先行技術文献】
【特許文献】
【０００３】
【特許文献１】特開平１０−２０４９４２
【特許文献２】特開２００８−２５３７０６
【発明の開示】
【発明が解決しようとする課題】
【０００４】
従来の風呂水再使用システムは、タンクを別に設置する為、大掛かりな設置スペースと工事が必要であった。現在、バスポンプを使用しての風呂の残り水を汲み上げる方法が知られている。バスポンプの場合は、浴室の扉を開放し、ホースを洗濯機の設置場所まで引き回さなければならない。そのため、風呂を利用している時は使用できない。また、ポンプのホースにひっかかり転倒する可能性があった。
特許文献２記載の浴槽栓は、排水栓と残り湯栓を鎖で連結された構造になっており、残り湯は残り湯栓を外して使用する。また、排水栓のみで構成する場合も提案されているが、洗濯機や水洗トイレへ送水する配管の入り口に髪の毛等を除去するためのストレーナが設置されている。ストレーナのクリーニングは、通常、横向きに装着されるストレーナを排水栓とは別個に外して行わなければならない。
本発明の目的は、浴槽の底の排水口に配される網目栓と排水溝に通じる排水管の入り口を閉塞する排水栓とを同時に脱着可能にし、網目栓を通して常時風呂水が利用可能な浴槽栓及びその浴槽栓を用いた風呂水再使用システムを提供することにある。
【課題を解決するための手段】
【０００５】
上記の目的を達成するため、請求項１の発明の浴槽栓は、浴槽の底に形成された排水口に設置され、風呂水を洗濯機および／または水洗トイレに使用可能な浴槽栓であって、前記排水口に配される網目栓と、前記排水口に接続される分岐管の排水管側分岐口を閉塞する排水栓と、前記網目栓及び排水栓が所定間隔を設けて直線的に一体化させた連結金具と、を備えていることを特徴としている。
【０００６】
請求項２の発明の風呂水再使用システムは、請求項１に記載の浴槽栓を浴槽の底の排水口に脱着可能に設けるとともに、前記浴槽下には前記排水口に通じる分岐管を取り付け、前記分岐管の風呂水再使用側分岐口に接続された送水管を洗濯機の設置される洗面所および／または水洗トイレが設備されたトイレルームにそれぞれ床下から立ち上げ、洗濯機に内蔵されているポンプおよび／または水洗トイレのサブタンクに汲み上げるポンプへ配管され、前記浴槽栓の排水栓が排水管側分岐口を閉塞しているとき前記浴槽栓の網目栓を通して、常時洗濯機および／または水洗トイレサブタンクへ送水可能に構成されていることを特徴としている。
【発明の効果】
【０００７】
本発明によれば、新規工事であっても大掛かりな工事をせずに風呂水を洗濯機および／または水洗トイレのサブタンクに送水することができる。また、住まいのリフォームであっても浴槽栓の交換及び配管を伸ばすだけでリフォームができる。特に、風呂水を再使用することで、上水道料（下水道料も）の費用削減が図れるとともに、大型の設備を使用せず、容易に一般家庭に導入できる。
【図面の簡単な説明】
【０００８】
【図１】本発明の風呂水を再使用するシステム構成図である。
【図２】図１のＡ部を示し、浴槽栓を排水口から抜いたときの図である。
【図３】図１のＡ部を示し、浴槽栓を排水口へ装着したときの図である。
【発明を実施するための形態】
【実施例】
【０００９】
本発明の実施例を図面に基づいて説明する。図１は、本発明の風呂水再使用システムの全体図、図２は図１のＡ部を示し、浴槽栓を排水口から抜いたときの図、図３は図１のＡ部を示し、浴槽栓を排水口へ装着したときの図である。ここで、風呂水とは、入浴のための湯、非常時のための水を含む。
【００１０】
浴槽１は、底１ａに浴槽栓１０が装着される排水口２が設けられ、この排水口２に複数の分岐口３ａ，３ｂ，３ｃを有する分岐管３が接続されている。分岐口３ａは排水口２よりやや小径に形成され、かつ分岐口３ａと排水口２は中心を通る直線上に位置し、下水道へ通じる排水溝に流す排水管４が接続され、一方、図的に左右に分岐した分岐口３ｂ，３ｃには、送水管５，６が接続されている。送水管５は、洗面所に設置された洗濯機７へ送水し、送水管６はトイレルームに設置された水洗トイレ８のサブタンク９へ送水する。本実施例では、送水管５，６が２つの分岐口３ｂ，３ｃにそれぞれ接続されているが、1つの分岐口に接続される送水管を途中から分岐させて、洗濯機、水洗トイレに送水するように構成することもできる。
【００１１】
図２に示すように、浴槽栓１０は、排水口２に配される網目栓１１と、分岐口３ａを塞ぐ排水栓１２とからなり、網目栓１１と排水栓１２が連結金具１３により直線的に連結され、一体化されている。排水栓１２は、網目栓１１より若干小径とし、排水口２を通過可能に形成されている。浴槽栓１０を排水口２に装着したり、排水口２から抜いたりするため鎖１４が網目栓１１に取り付けられている。排水栓１２は、ゴムなどで形成されている。
【００１２】
浴槽栓１０を排水口２に装着した使用状態（図３参照）において、網目栓１１は、風呂水中の毛髪等のごみを濾して送水管５，６を通して洗濯機７に組み込まれたポンプ２０に、また水洗トイレ８のサブタンク９に取り付けたポンプ３０に、常時送水可能になっている。つまり常時タンクとして使用されている浴槽１内の水は使用可能になる。浴槽１内に水が無い場合は、図１において、トイレルームの上水道バルブ４０を開き水道水を使用する。
【００１３】
本実施例の作用を説明する。
図３に示すように浴槽栓１０を排水口２に装着すると、排水管４は排水栓１２で閉塞される。風呂水は、送水管５，６を通して洗濯機および／または水洗トイレのサブタンクに網目栓１１を通して常時送水可能となっている。これは、入浴中であっても使用可能である。
一方、図２に示すように鎖１４を持ち上げて浴槽栓１０を抜くと、排水栓１２による排水管４の閉塞が解かれる。風呂水は、排水管４を通って排水溝に流れる。
【００１４】
本発明の実施の態様について説明する。
洗濯機への汲み上げポンプは、現在の洗濯機に組み込まれている機種がほとんどである為、ポンプ入り口と配管を繋ぐことで利用可能となる。水洗トイレのサブタンクに汲み上げるポンプは、洗濯機に組み込まれているポンプと同様のポンプを設置するのが望ましい。トイレ汲み上げポンプは、所定時間で自動停止させるタイマーを設ける事が望ましい。浴槽に水が残ってない場合は、上水道のバルブを開け水道水を使用できるようにするのが望ましい。
【符号の説明】
【００１５】
１    浴槽
１ａ  槽底
２    排水口
３    分岐管
４    排水管
５，６  送水管
７    洗濯機
８    水洗トイレ
９    サブタンク
１０  浴槽栓
１１  網目栓
１２  排水栓
１３  連結金具
１４  鎖
２０  洗濯機汲み上げポンプ
３０  サブタンクへの汲み上げポンプ
４０  上水道のバルブ
【図１】
2012041681.tif 000003
【図２】
2012041681.tif 000004
【図３】
2012041681.tif 000005
【手続補正書】
【提出日】平成23年11月5日(2011.11.5)
【手続補正１】
【補正対象書類名】特許請求の範囲
【補正対象項目名】全文
【補正方法】変更
【補正の内容】
【特許請求の範囲】
【請求項１】
浴槽の底に形成された排水口に設置され、風呂水を洗濯機および／または水洗トイレに使用可能な浴槽栓であって、
前記排水口に配される網目栓と、前記網目栓より若干小径とし、前記排水口を通過可能に形成されており、前記排水口に接続される分岐管の排水管側分岐口を閉塞する排水栓と、前記排水口と該排水口の中心を通る直線上に位置する前記排水管側分岐口との間隔に合わせて前記網目栓と前記排水栓のそれぞれの中央を、常態が直線的に連結され、一体化させた連結金具と、を備えていることを特徴とする浴槽栓。分岐口３ａと排水口２は中心を通る直線上に位置し、下水道へ通じる排水溝に流す排水管４が接続
【請求項２】
請求項１に記載の浴槽栓を浴槽の底の排水口に脱着可能に設けるとともに、前記浴槽下には前記排水口に通じる分岐管を取り付け、前記分岐管の風呂水再使用側分岐口に接続された送水管を洗濯機の設置される洗面所および／または水洗トイレが設備されたトイレルームにそれぞれ床下から立ち上げ、洗濯機に内蔵されているポンプおよび／または水洗トイレのサブタンクに汲み上げるポンプへ配管され、前記浴槽栓の排水栓が排水管側分岐口を閉塞しているとき前記浴槽栓の網目栓を通して、常時洗濯機および／または水洗トイレサブタンクへ送水可能に構成されていることを特徴とする風呂水再使用システム。
【手続補正２】
【補正対象書類名】明細書
【補正対象項目名】０００５
【補正方法】変更
【補正の内容】
【０００５】
上記の目的を達成するため、請求項１の発明の浴槽栓は、浴槽の底に形成された排水口に設置され、風呂水を洗濯機および／または水洗トイレに使用可能な浴槽栓であって、前記排水口に配される網目栓と、前記網目栓より若干小径とし、前記排水口を通過可能に形成されており、前記排水口に接続される分岐管の排水管側分岐口を閉塞する排水栓と、前記排水口と該排水口の中心を通る直線上に位置する前記排水管側分岐口との間隔に合わせて前記網目栓と前記排水栓のそれぞれの中央をを、常態が直線的に連結され、一体化させた連結金具と、を備えていることを特徴としている。